(57)【要約】【課題】下肢の付け根部の動きを妨げることなく、保持部材の下端においても腰部を確実に保持することができるコルセットを提供する。【解決手段】コルセット１は、保持部材１０と、切り欠き部連結部材１１５とを備えている。保持部材１０は、腰骨が当たらないように切り欠かれた切り欠き部１００ａを有している。切り欠き部連結部材１１５は、切り欠き部１００ａの前側の保持部材１０の下端部と後側の保持部材１０の下端部とを連結する、長さ調整可能な部材である。切り欠き部連結部材１１５によって、切り欠き部１００ａの前側の保持部材１０の下端部と後側の保持部材１０の下端部とを連結することができる。しかも、連結長さを調整することができる。そのため、下肢の付け根部の動きを妨げることなく、保持部材１０の下端部においても腰部を確実に保持することができる。【選択図】図３
2018123449.tif 000002
【特許請求の範囲】
【請求項１】
腰部に装着するコルセットであって、
腰骨が当たらないように切り欠かれた切り欠き部を有し、前記腰部を取り囲むようにして前記腰部を保持する保持部材と、
前記切り欠き部の前側の前記保持部材の下端部と前記切り欠き部の後側の前記保持部材の下端部とを連結する、長さ調整可能な切り欠き部連結部材と、
を有するコルセット。
【請求項２】
前記保持部材は、
前記腰部の左側を囲む左側保持部材と、
前記腰部の右側を囲む右側保持部材と、
を有し、
さらに、
前記左側保持部材と前記右側保持部材を前記腰部の前側で連結する長さ調整可能な前側連結部材と、
前記左側保持部材と前記右側保持部材を前記腰部の後側で連結する長さ調整可能な後側連結部材と、
を有する請求項１に記載のコルセット。
【請求項３】
前記保持部材は、窓部を有する請求項１又は２に記載のコルセット。
【請求項４】
前記保持部材は、前記腰部の形状に合わせて変形可能な板状部材によって構成されている請求項１〜３のいずれか１項に記載のコルセット。
【請求項５】
前記保持部材の前記腰部と対向する面に、保護部材を有する請求項１〜４のいずれか１項に記載のコルセット。
【発明の詳細な説明】
【技術分野】
【０００１】
本発明は、人の腰部に装着するコルセットに関する。
【背景技術】
【０００２】
従来、人の腰部に装着するコルセットとして、例えば以下に示す特許文献１に開示されている身体用サポータがある。
【０００３】
この身体用サポータは、人の腰部に装着し、腰部を保持する装具である。身体用サポータは、保持部材と、連結部材とを備えている。
【０００４】
保持部材は、人の腰部の左右側面及び背面を一体的に取り囲むようにして腰部を保持する板状の部材である。保持部材は、左右の下側に、腰骨が当たらないように切り欠き部が形成されている。
【０００５】
連結部材は、保持部材の前側で保持部材の端部同士を連結する部材である。連結部材は、金具と、固定帯と、連結ベルトとを備えている。金具は、固定帯によって保持部材の前側の左端部に固定されている。連結ベルトは、雄面ファスナー部と雌面ファスナー部とを有し、折り返して雄面ファスナー部と雌面ファスナー部を重ね合わせ固定することで長さ調整可能な部材である。連結ベルトの一端は、保持部材の前側の右端部に固定されている。連結ベルトの他端を金具に挿通させ、折り返す長さを調整することで、保持部材の前側における連結長さを調整することができる。これにより、保持部材による腰部の保持状態を調整することができる。
【先行技術文献】
【特許文献】
【０００６】
【特許文献１】特開２０１４−１８５号公報
【発明の概要】
【発明が解決しようとする課題】
【０００７】
前述した身体用サポータは、保持部材の左右の下側に、腰骨が当たらないように切り欠き部が形成されている。そのため、下肢の付け根部の動きを妨げることがない。しかし、保持部材の下端部が変形しやすくなり、下端部において腰部を充分に保持できなくなってしまう。それに伴って、保持部材が上側にずり上がりやすくなってしまう。
【０００８】
本発明はこのような事情に鑑みてなされたものであり、下肢の付け根部の動きを妨げることなく、保持部材の下端部においても腰部を確実に保持することができるコルセットを提供することを目的とする。
【課題を解決するための手段】
【０００９】
上記課題を解決するためになされた請求項１に記載のコルセットは、腰部に装着するコルセットであって、腰骨が当たらないように切り欠かれた切り欠き部を有し、腰部を取り囲むようにして腰部を保持する保持部材と、切り欠き部の前側の保持部材の下端部と切り欠き部の後側の保持部材の下端部とを連結する、長さ調整可能な切り欠き部連結部材と、を有する。
【００１０】
この構成によれば、切り欠き部連結部材によって、切り欠き部の前側の保持部材の下端部と切り欠き部の後側の保持部材の下端部とを連結することができる。しかも、連結長さを調整することができる。そのため、下肢の付け根部の動きを妨げることなく、保持部材の下端部においても腰部を確実に保持することができる。それに伴って、保持部材のずり上がりを抑えることができる。
【００１１】
請求項２に記載のコルセットは、保持部材が、腰部の左側を囲む左側保持部材と、腰部の右側を囲む右側保持部材と、を有し、左側保持部材と右側保持部材を腰部の前側で連結する長さ調整可能な前側連結部材と、左側保持部材と右側保持部材を腰部の後側で連結する長さ調整可能な後側連結部材と、を有する。この構成によれば、保持部材によって、腰部を取り囲むようにして腰部を確実に保持することができる。
【００１２】
請求項３に記載のコルセットは、保持部材が、窓部を有する。この構成によれば、窓部を介して、身体から発散された水分等を外部に排出することができる。そのため、快適性を確保することができる。また、コルセットを軽量化することができる。
【００１３】
請求項４に記載のコルセットは、保持部材が、腰部の形状に合わせて変形可能な板状部材によって構成されている。この構成によれば、保持部材を装着者の腰部の形状に合わせて変形させることができる。そのため、装着する人が替わっても、腰部を確実に保持することができる。
【００１４】
請求項５に記載のコルセットは、保持部材の腰部と対向する面に、保護部材を有する。この構成によれば、保持部材の擦れによる腰部の損傷を抑え、腰部を保護することができる。
【図面の簡単な説明】
【００１５】
【図１】本実施形態におけるコルセットの正面図である。
【図２】本実施形態におけるコルセットの左側面図である。
【図３】本実施形態におけるコルセットの右側面図である。
【図４】本実施形態におけるコルセットの背面図である。
【図５】本実施形態におけるコルセットの上面図である。
【図６】本実施形態の変形形態における金具の平面図である。
【発明を実施するための形態】
【００１６】
次に、実施形態を挙げ、本発明をより詳しく説明する。
【００１７】
まず、図１〜図５を参照してコルセットの構成について説明する。なお、図中における上下方向及び前後方向は、コルセットを装着する人の上下方向及び前後方向を示すものである。
【００１８】
図１〜図５に示すコルセット１は、人の腰部に装着し、腰部を保持する装具である。コルセット１は、保持部材１０と、連結部材１１と、保護部材１２とを備えている。
【００１９】
保持部材１０は、人の腰部を取り囲むようにして腰部を保持する、全体として筒状をなす部材である。保持部材１０は、左側保持部材１００と、右側保持部材１０１とを備えている。
【００２０】
左側保持部材１００は、腰部の左側、つまり左半身を囲む部材である。具体的には、腰部の前面左側、左側面及び背面左側を囲む部材である。左側保持部材１００は、腰部の形状に合わせて変形可能な板状部材によって構成されている。具体的には、塑性変形可能な金属材料によって構成されている。その板状部材の表面は、表皮材によって覆われている。具体的には、合成皮革シートで覆われている。左側保持部材１００は、切り欠き部１００ａと、窓部１００ｂと有している。
【００２１】
切り欠き部１００ａは、左側保持部材１００の下側に形成される、左側の腰骨が当たらないように切り欠かれた部位である。切り欠き部１００ａ内に、左側の腰骨が入る。具体的には、左側の上前腸骨棘がはまる。
【００２２】
窓部１００ｂは、左側保持部材１００の前側から左側面にかけて、及び、後側から左側面にかけて形成される切り抜かれた孔状の部位である。
【００２３】
右側保持部材１０１は、腰部の右側、つまり右半身を囲む部材である。具体的には、腰部の前面右側、右側面及び背面右側を囲む部材である。右側保持部材１０１は、腰部の形状に合わせて変形可能な板状部材によって構成されている。具体的には、塑性変形可能な金属材料によって構成されている。その板状部材の表面は、表皮材によって覆われている。具体的には、合成皮革シートで覆われている。右側保持部材１０１は、切り欠き部１０１ａと、窓部１０１ｂとを有している。
【００２４】
切り欠き部１０１ａは、右側保持部材１０１の下側に形成される、右側の腰骨が当たらないように切り欠かれた部位である。切り欠き部１０１ａ内に、右側の腰骨が入る。具体的には、右側の上前腸骨棘がはまる。
【００２５】
窓部１０１ｂは、右側保持部材１０１の前側から右側面にかけて、及び、後側から右側面にかけて形成される切り抜かれた孔状の部位である。
【００２６】
連結部材１１は、左側保持部材１００と右側保持部材１０１を連結するとともに、切り欠き部１００ａ、１０１ａの前側の保持部材１０の下端部と切り欠き部１００ａ、１０１ａの後側の保持部材１０の下端部とを連結する部材である。連結部材１１は、前側連結部材１１０、１１１と、後側連結部材１１２〜１１４と、切り欠き部連結部材１１５、１１６とを備えている。
【００２７】
前側連結部材１１０、１１１は、左側保持部材１００と右側保持部材１０１を腰部の前側で連結する長さ調整可能な部材である。前側連結部材１１０、１１１は、金具１１０ａ、１１１ａと、固定ベルト１１０ｂ、１１１ｂと、連結ベルト１１０ｃ、１１１ｃとを備えている。
【００２８】
金具１１０ａ、１１１ａは、金属からなる矩形環状の部材である。
【００２９】
固定ベルト１１０ｂ、１１１ｂは、金具１１０ａ、１１１ａを左側保持部材１００に固定する帯状の部材である。固定ベルト１１０ｂは、金具１１０ａに挿通し折り返された状態で、両端部が、リベットによって左側保持部材１００の前側上部の外側に固定されている。固定ベルト１１１ｂは、金具１１１ａに挿通し折り返された状態で、両端部が、リベットによって左側保持部材１００の前側下部の外側に固定されている。
【００３０】
連結ベルト１１０ｃ、１１１ｃは、同一面に雄面ファスナー部と雌面ファスナー部とを有し、折り返して雄面ファスナー部と雌面ファスナー部を重ね合わせ固定することで長さ調整可能な帯状の部材である。連結ベルト１１０ｃは、雄面ファスナー部と雌面ファスナー部を外側に向けた状態で、一端が、リベットによって右側保持部材１０１の前側上部の外側に固定されている。連結ベルト１１１ｃは、雄面ファスナー部と雌面ファスナー部を外側に向けた状態で、一端が、リベットによって右側保持部材１０１の前側下部の外側に固定されている。
【００３１】
連結ベルト１１０ｃ、１１１ｃの他端を内側から金具１１０ａ、１１１ａに挿通させ、折り返す長さを調整することで、左側保持部材１００と右側保持部材１０１の前側における連結長さを調整することができる。
【００３２】
後側連結部材１１２〜１１４は、左側保持部材１００と右側保持部材１０１を腰部の後側で連結する長さ調整可能な部材である。後側連結部材１１２は、連結ベルト１１２ａ、１１２ｂを備えている。後側連結部材１１３は、連結ベルト１１３ａ、１１３ｂを備えている。後側連結部材１１４は、連結ベルト１１４ａ、１１４ｂを備えている。
【００３３】
連結ベルト１１２ａ、１１３ａ、１１４ａは、雌面ファスナー部を有する帯状の部材である。
【００３４】
連結ベルト１１２ｂ、１１３ｂ、１１４ｂは、雄面ファスナー部を有する帯状の部材である。連結ベルト１１２ａは、雌面ファスナー部を内側に向けた状態で、一端が、リベットによって左側保持部材１００の後側上部の外側に、連結ベルト１１２ｂは、雄面ファスナー部を外側に向けた状態で、一端が、リベットによって右側保持部材１０１の後側上部の外側にそれぞれ固定されている。連結ベルト１１３ａは、雌面ファスナー部を内側に向けた状態で、一端が、リベットによって左側保持部材１００の後側中央部の外側に、連結ベルト１１３ｂは、雄面ファスナー部を外側に向けた状態で、一端が、リベットによって右側保持部材１０１の後側中央部の外側にそれぞれ固定されている。連結ベルト１１４ａは、雌面ファスナー部を内側に向けた状態で、一端が、リベットによって左側保持部材１００の後側下部の外側に、連結ベルト１１４ｂは、雄面ファスナー部を外側に向けた状態で、一端が、リベットによって右側保持部材１０１の後側下部の外側にそれぞれ固定されている。
【００３５】
連結ベルト１１２ｂ、１１３ｂ、１１４ｂに対する連結ベルト１１２ａ、１１３ａ、１１４ａの他端の固定位置を調整することで、左側保持部材１００と右側保持部材１０１の後側における連結長さを調整することができる。
【００３６】
切り欠き部連結部材１１５は、切り欠き部１００ａの前側の保持部材１０の下端部と切り欠き部１００ａの後側の保持部材１０の下端部とを連結する部材である。少なくとも、切り欠き部１００ａが開くことを規制する部材である。また、骨盤を圧迫する機能を有する部材でもある。切り欠き部連結部材１１６は、切り欠き部１０１ａの前側の保持部材１０の下端部と切り欠き部１０１ａの後側の保持部材１０の下端部とを連結する部材である。少なくとも、切り欠き部１０１ａが開くことを規制する部材である。また、骨盤を圧迫する機能を有する部材でもある。切り欠き部連結部材１１５、１１６は、金具１１５ａ、１１６ａと、固定ベルト１１５ｂ、１１６ｂと、連結ベルト１１５ｃ、１１６ｃとを備えている。
【００３７】
金具１１５ａ、１１６ａは、金属からなる矩形環状の部材である。
【００３８】
固定ベルト１１５ｂは、金具１１５ａを左側保持部材１００に固定する帯状の部材である。固定ベルト１１６ｂは、金具１１６ａを右側保持部材１０１に固定する帯状の部材である。固定ベルト１１５ｂは、金具１１５ａに挿通し折り返された状態で、両端部が、リベットによって左側保持部材１００の前側下部の外側に固定されている。固定ベルト１１６ｂは、金具１１６ａに挿通し折り返された状態で、両端部が、リベットによって右側保持部材１０１の前側下部の外側に固定されている。
【００３９】
連結ベルト１１５ｃ、１１６ｃは、同一面に雄面ファスナー部と雌面ファスナー部を有し、折り返して雄面ファスナー部と雌面ファスナー部を重ね合わせ固定することで長さ調整可能な帯状の部材である。連結ベルト１１５ｃは、雄面ファスナー部と雌面ファスナー部を外側に向けた状態で、一端が、リベットによって左側保持部材１００の後側下部の外側に固定されている。連結ベルト１１６ｃは、雄面ファスナー部と雌面ファスナー部を外側に向けた状態で、一端が、リベットによって右側保持部材１０１の後側下部の外側に固定されている。
【００４０】
連結ベルト１１５ｃの他端を内側から金具１１５ａに挿通させ、折り返す長さを調整することで、切り欠き部１００ａの前側の保持部材１０の下端部と切り欠き部１００ａの後側の保持部材１０の下端部の連結長さを調整することができる。連結ベルト１１６ｃの他端を内側から金具１１６ａに挿通させ、折り返す長さを調整することで、切り欠き部１０１ａの前側の保持部材１０の下端部と切り欠き部１０１ａの後側の保持部材１０の下端部の連結長さを調整することができる。
【００４１】
保護部材１２は、保持部材１０の擦れによる腰部の損傷を抑え、腰部を保護する部材である。保護部材１２は、保護パッド１２０、１２１と、保護シート１２２とを有している。
【００４２】
保護パッド１２０、１２１は、弾力のある矩形板状の部材である。具体的には、スポンジとエアパッドからなるクッション材である。保護パッド１２０、１２１は、雌面ファスナー部を有している。保護パッド１２０は、前側から左側面にかけて、左側保持部材１００の上側縁部を覆うように左側保持部材１００に固定されている。具体的には、左側保持部材１００に貼付された雄面ファスナー部材に固定されている。保護パッド１２１は、前側から右側面にかけて、右側保持部材１０１の上側縁部を覆うように右側保持部材１０１に固定されている。具体的には、右側保持部材１０１に貼付された雄面ファスナー部材に固定されている。保護パッド１２０、１２１は、面ファスナーを用いて固定するため、取り外しが可能である。また、取り付け位置の調整が可能である。さらに、保持部材１０の別の位置に面ファスナー部材を設けることで、保護パッド１２０、１２１を別に固定することもできる。
【００４３】
保護シート１２２は、合成皮革からなる矩形薄板状の部材である。保護シート１２２は、左側保持部材１００と右側保持部材１０１の内側において前側縁部を覆うように配置され、右側端部が、リベットによって右側保持部材１０１の前側端部の内側に固定されている。
【００４４】
次に、図１〜図５を参照してコルセットの装着の仕方について説明する。
【００４５】
まず、力を加え、図１〜図５に示す左側保持部材１００及び右側保持部材１０１を変形させ、装着する人の体形に合うように形状を調整する。そして、後側連結部材１１２〜１１４によって左側保持部材１００と右側保持部材１０１を後側で連結する。その際、連結ベルト１１２ｂ、１１３ｂ、１１４ｂに対する連結ベルト１１２ａ、１１３ａ、１１４ａの他端の固定位置を調整することで、装着する人の体形に合うように、左側保持部材１００と右側保持部材１０１の連結長さを調整する。
【００４６】
その後、腰部の左側を囲むように左側保持部材１００を装着する。その際、左側の腰骨が切り欠き部１００ａ内に入り込むように装着する。また、腰部の右側を囲むように、右側保持部材１０１を装着する。その際、右側の腰骨が切り欠き部１０１ａ内に入り込むように装着する。
【００４７】
そして、前側連結部材１１０、１１１によって、左側保持部材１００と右側保持部材１０１を前側で連結する。その際、連結ベルト１１０ｃ、１１１ｃの他端を内側から金具１１０ａ、１１１ａに挿通させ、折り返す長さを調整することで、左側保持部材１００が腰部の左側に密着するとともに、右側保持部材１０１が腰部の右側に密着するように、左側保持部材１００と右側保持部材１０１の連結長さを調整する。
【００４８】
その後、切り欠き部連結部材１１５によって、切り欠き部１００ａの前側の保持部材１０の下端部と切り欠き部１００ａの後側の保持部材１０の下端部とを連結する。また、切り欠き部連結部材１１６によって、切り欠き部１０１ａの前側の保持部材１０の下端部と切り欠き部１０１ａの後側の保持部材１０の下端部とを連結する。その際、連結ベルト１１５ｃの他端を内側から金具１１５ａに挿通させ、折り返す長さを調整することで、下肢の付け根部の動きを妨げることなく、左側保持部材１００の下端部においても腰部を確実に保持できるように、切り欠き部１００ａの前側の左側保持部材１００の下端部と切り欠き部１００ａの後側の左側保持部材１００の下端部の連結長さを調整する。連結ベルト１１６ｃの他端を内側から金具１１６ａに挿通させ、折り返す長さを調整することで、下肢の付け根部の動きを妨げることなく、左側保持部材１０１の下端部においても腰部を確実に保持できるように、切り欠き部１０１ａの前側の右側保持部材１０１の下端部と切り欠き部１０１ａの後側の右側保持部材１０１の下端部の連結長さを調整する。
【００４９】
次に、本実施形態のコルセットの効果について説明する。
【００５０】
本実施形態によれば、コルセット１は、腰部に装着する装具であって、保持部材１０と、切り欠き部連結部材１１５、１１６とを備えている。保持部材１０は、腰部を取り囲むようにして腰部を保持する部材である。保持部材１０は、腰骨が当たらないように切り欠かれた切り欠き部１００ａ、１０１ａを有している。切り欠き部連結部材１１５は、切り欠き部１００ａの前側の保持部材１０の下端部と切り欠き部１００ａの後側の保持部材１０の下端部とを連結する、長さ調整可能な部材である。切り欠き部連結部材１１６は、切り欠き部１０１ａの前側の保持部材１０の下端部と切り欠き部１０１ａの後側の保持部材１０の下端部とを連結する、長さ調整可能な部材である。そのため、切り欠き部連結部材１１５によって、切り欠き部１００ａの前側の保持部材１０の下端部と切り欠き部１００ａの後側の保持部材１０の下端部とを連結することができる。切り欠き部連結部材１１６によって、切り欠き部１０１ａの前側の保持部材１０の下端部と切り欠き部１０１ａの後側の保持部材１０の下端部とを連結することができる。しかも、装着する人の体形に合わせて連結長さを調整することができる。そのため、下肢の付け根部の動きを妨げることなく、保持部材１０の下端部においても腰部を確実に保持することができる。それに伴って、保持部材１０のずり上がりを抑えることができる。さらに、骨盤を圧迫することで、骨盤をしっかりと固定することができる。
【００５１】
本実施形態によれば、保持部材１０は、腰部の左側を囲む左側保持部材１００と、腰部の右側を囲む右側保持部材１０１と、を有している。コルセット１は、左側保持部材１００と右側保持部材１０１を腰部の前側で連結する長さ調整可能な前側連結部材１１０、１１１と、左側保持部材１００と右側保持部材１０１を腰部の後側で連結する長さ調整可能な後側連結部材１１２〜１１４とを有している。そのため、保持部材１０によって、腰部を取り囲むようにして腰部を確実に保持することができる。
【００５２】
本実施形態によれば、保持部材１０は、窓部１００ｂ、１０１ｂを有している。そのため、窓部１００ｂ、１０１ｂを介して、身体から発散された水分等を外部に排出することができる。従って、快適性を確保することができる。また、コルセット１を軽量化することができる。さらに、装着する人の体形に合わせ、容易に変形させることができる。加えて、通気性を向上させることができる。
【００５３】
本実施形態によれば、保持部材１０は、腰部の形状に合わせて変形可能な板状部材によって構成されている。そのため、保持部材１０を装着者の腰部の形状に合わせて変形させることができる。従って、腰部を確実に保持することができる。さらに、装着する人が替わっても利用することができる。
【００５４】
本実施形態によれば、コルセット１は、保持部材１０の腰部と対向する面に、保護部材１２を有している。そのため、硬い保持部材１０が直接当たらなくなる。従って、保持部材１０の擦れによる腰部の損傷を抑え、腰部を保護することができる。
【００５５】
なお、本実施形態では、固定ベルト１１０ｂ、１１１ｂ、１１５ｂ、１１６ｂ及び連結ベルト１１０ｃ、１１１ｃ、１１５ｃ、１１６ｃの挿通する金具１１０ａ、１１１ａ、１１５ａ、１１６ａが矩形環状の部材である例を挙げているが、これに限られるものではない。例えば、金具１１０ａは、図６に示すような形状であってもよい。金具１１１ａ、１１５ａ、１１６ａについても同様である。
【００５６】
本実施形態では、連結ベルト１１０ｃ、１１１ｃ、１１５ｃ、１１６ｃが同一面に雄面ファスナー部と雌面ファスナー部とを有し、折り返して雄面ファスナー部と雌面ファスナー部を重ね合わせ固定することで長さ調整する例を挙げているが、これに限られるものではない。同様の機能を発揮できるものであれば変更可能である。
【符号の説明】
【００５７】
１・・・コルセット、１０・・・保持部材、１００・・・左側保持部材、１００ａ・・・切り欠き部、１００ｂ・・・窓部、１０１・・・右側保持部材、１０１ａ・・・切り欠き部、１０１ｂ・・・窓部、１１・・・連結部材、１１０、１１１・・・前側連結部材、１１０ａ、１１１ａ・・・金具、１１０ｂ、１１１ｂ・・・固定ベルト、１１０ｃ、１１１ｃ・・・連結ベルト、１１２〜１１４・・・後側連結部材、１１２ａ、１１３ａ、１１４ａ・・・連結ベルト、１１２ｂ、１１３ｂ、１１４ｂ・・・連結ベルト、１１５、１１６・・・切り欠き部連結部材、１１５ａ、１１６ａ・・・連結ベルト、１１５ｂ、１１６ｂ・・・金具、１１５ｃ、１１６ｃ・・・固定ベルト、１２・・・保護部材、１２０、１２１・・・保護パッド、１２２・・・保護シート
【図１】
2018123449.tif 000003
【図２】
2018123449.tif 000004
【図３】
2018123449.tif 000005
【図４】
2018123449.tif 000006
【図５】
2018123449.tif 000007
【図６】
2018123449.tif 000008